(57)【要約】      （修正有）【課題】消費電力を削減しつつも、画像の絵柄に拘わらず良好な輝度レベルにて画像表示を行うことが可能な表示パネルの駆動方法を提供する。【解決手段】入力映像信号の平均輝度レベルに応じて各サブフィールドに割り当てるべき発光回数を設定する。そして、入力映像信号のピーク輝度レベルに基づき全画素セルが消灯モードとなるサブフィールドの検出を行い、消灯モードとなるサブフィールドに対応した発光回数を減少させると共に、この発光回数を減少させた分だけ、その他のサブフィールドに対応した発光回数を増加させる。【選択図】  図５
2005315928.tif 000002
【特許請求の範囲】
【請求項１】
複数の画素セルが形成されている表示パネルを、夫々に前記画素セルを発光させるべき発光回数が割り当てられている複数のサブフィールド毎に駆動する表示パネルの駆動方法であって、
入力映像信号のピーク輝度レベルを検出するピーク輝度検出ステップと、
前記ピーク輝度レベルに基づき前記サブフィールド各々に割り当てられている前記発光回数を変更する発光回数変更ステップと、
前記サブフィールド各々においてそのサブフィールドに割り当てられている前記発光回数の分だけ前記画素セルを発光させるサスティンパルスを前記表示パネルに印加するサスティンステップと、を有することを特徴とする表示パネルの駆動方法。
【請求項２】
前記発光回数変更ステップは、前記ピーク輝度レベルに基づき前記サブフィールド各々の内から前記画素セルの全てが消灯状態となる消灯サブフィールドを検出するステップと、
前記サブフィールド各々の内で前記消灯サブフィールドに割り当てられている前記発光回数を減少させる一方、前記消灯サブフィールドを除く他のサブフィールドに割り当てられている前記発光回数を増加させるステップと、を含むことを特徴とする請求項１記載の表示パネルの駆動方法。
【請求項３】
複数の画素セルが形成されている表示パネルを、入力映像信号の各フィールドを構成する複数のサブフィールド毎に駆動する表示パネルの駆動方法であって、
入力映像信号の平均輝度レベルを検出する平均輝度検出ステップと、
前記入力映像信号のピーク輝度レベルを検出するピーク輝度検出ステップと、
前記平均輝度レベル及び前記ピーク輝度レベルに基づき前記画素セルを発光させるべき発光回数を前記サブフィールド各々に割り当てる発光回数設定ステップと、
前記サブフィールド各々においてそのサブフィールドに割り当てられている前記発光回数の分だけ前記画素セルを発光させるサスティンパルスを前記表示パネルに印加するサスティンステップと、を有することを特徴とする表示パネルの駆動方法。
【請求項４】
前記発光回数設定ステップは、前記平均輝度レベルに基づき前記サブフィールド各々に前記発光回数の割り当て行うステップと、
前記ピーク輝度レベルに基づき前記サブフィールド各々の内から前記画素セルの全てが消灯状態となる消灯サブフィールドを検出するステップと、
前記サブフィールド各々の内で前記消灯サブフィールドに割り当てられている前記発光回数を減少させる一方、この発光回数を減少させた分だけ前記消灯サブフィールドを除く他のサブフィールドに割り当てられている前記発光回数を増加させるステップと、を含むことを特徴とする請求項３記載の表示パネルの駆動方法。
【請求項５】
前記発光回数設定ステップは、前記平均輝度レベルに基づき前記サブフィールド各々に前記発光回数の割り当て行うステップと、前記ピーク輝度レベルに基づき各フィールドを構成する前記サブフィールド各々の内から前記画素セルの全てが消灯状態となる消灯サブフィールドを検出するステップと、前記サブフィールド各々の内で前記消灯サブフィールドに割り当てられている前記発光回数の分だけ前記消灯サブフィールドを除く他のサブフィールドに割り当てられている前記発光回数を増加させるステップと、を含み、
前記サスティンステップは、前記サブフィールド各々の内の前記消灯サブフィールドを除く他のサブフィールドのみで前記サスティンパルスの印加を実施することを特徴とする請求項３記載の表示パネルの駆動方法。
【発明の詳細な説明】
【技術分野】
【０００１】
本発明は、画像表示を行う表示パネルの駆動方法に関する。
【背景技術】
【０００２】
近年、表示装置の大画面化にともなって薄型のものが要求され、各種の薄型表示デバイスが実用化されている。交流放電型のプラズマディスプレイパネル(以下、ＰＤＰと称する)は、この薄型表示デバイスの１つとして着目されている。  ＰＤＰは、複数の列電極と、これら列電極と直交して配列されて且つ一対にて１走査ラインを形成する複数の行電極とを備えている。これら各行電極及び列電極は、放電空間に対して誘電体層で被覆されており、１対の行電極と列電極との各交叉部に画素を担う画素セルが形成される構造を採る。
【０００３】
ここで、かかるＰＤＰに対して中間調表示を実施させる方法の一つとしてサブフィールド法(又はサブフレーム法)が知られている。サブフィールド法では、１フィールドの表示期間を複数のサブフィールドに分割し、各サブフィールド毎に画素セル各々を発光駆動する。各サブフィールドにはそのサブフィールドの重み付けに対応した発光回数（期間）が割り当てられている。例えば、入力映像信号に基づく各画素毎の画素データが８ビットである場合には、１フィールドの期間を８つのサブフィールドに分割して各サブフィールド内において、一斉リセット行程、画素データ書込行程、発光維持行程を順次実行する。
【０００４】
一斉リセット行程では、上記ＰＤＰの全ての画素セルを一斉に放電励起(リセット放電)せしめることにより、全画素セル内に壁電荷を形成させる。画素データ書込行程では、そのサブフィールドに対応した画素データビットの論理レベルに応じて、各画素セルに対して選択的に放電(選択消去放電)を生起せしめる。この時、選択消去放電が生起された画素セル内では壁電荷が消滅し、この画素セルは非発光セル状態に設定される。一方、選択消去放電が生起されなかった画素セル内には壁電荷が残留したままとなるので、この画素セルは発光セル状態に設定されることになる。発光維持行程では、上記発光セル状態に設定された画素セルのみを、各サブフィールドに割り当てられている回数分（期間）だけ繰り返し放電(維持放電)させる。この際、８つのサブフィールド各々の発光維持行程において生起された維持放電の合計回数に対応した中間輝度が視覚される。つまり、８つのサブフィールド各々に、１：２：４：８：１６：３２：６４：１２８なる比にて維持放電の回数を割り当てれば、１フィールド表示期間内において維持放電の生起されるサブフィールドの組み合わせ方により、２５６(＝２8)階調分の中間輝度を表現できるのである。
【０００５】
ところが、かかる階調駆動によると、高輝度な映像を表す映像信号が供給された場合には、単位表示期間（１フィールド表示期間）あたりに生起される維持放電の回数が増えるので、電力消費が増大するという問題があった。
【０００６】
そこで、入力映像信号に拘わらずに、その消費電力を所定値以内に制限させるようにした低消費電力制御方法が提案された（例えば特許文献１参照）。この低消費電力制御では、ＰＤＰが設置されている場所の照度を考慮して、入力映像信号の平均輝度レベルに基づき、各サブフィールドに割り当てるべき維持放電の回数を変更するのである（特許文献１の図８参照）。
【０００７】
しかしながら、このような低消費電力制御を実施すると、１画面内における輝度変化が少なく且つその平均輝度が低い画像を表す映像信号が供給された場合には、所望の輝度よりも暗い画像が視覚されてしまうという問題が生じた。
【０００８】
例えば、図１（ａ）に示す如く１画面内が一様に最大輝度の２０％の輝度となる画像（例えば、灰色一色の画像）と、図１（ｂ）に示す如く１画面内の２０％の領域では最大輝度（白色）、その他の領域では最低輝度（黒色）の画像とでは、共に１画面内での平均輝度は同一である。
【０００９】
従って、前述した如き低消費電力制御によると、図１（ａ）の如き画像を表示する場合には全画素に対して維持放電回数の削減が為され、図１（ｂ）の如き画像を表示する場合には全画素の２０％に対して維持放電回数の削減が為されることになる。これにより、図１（ａ）の如き１画面内での輝度差が小なる画像は、図１（ｂ）の如き輝度差が大なる画像に比して暗い画像が視覚されてしまうのである。
【特許文献１】特開２００３−２１６０９４号公報
【発明の開示】
【発明が解決しようとする課題】
【００１０】
本発明は、かかる問題を解決すべく為されたものであり、消費電力を削減しつつも、画像の絵柄に拘わらず良好な輝度レベルにて画像表示を行うことが可能な表示パネルの駆動方法を提供することを目的とするものである。
【課題を解決するための手段】
【００１１】
請求項１記載による表示パネルの駆動方法は、複数の画素セルが形成されている表示パネルを、夫々に前記画素セルを発光させるべき発光回数が割り当てられている複数のサブフィールド毎に駆動する表示パネルの駆動方法であって、入力映像信号のピーク輝度レベルを検出するピーク輝度検出ステップと、前記ピーク輝度レベルに基づき前記サブフィールド各々に割り当てられている前記発光回数を変更する発光回数変更ステップと、前記サブフィールド各々においてそのサブフィールドに割り当てられている前記発光回数の分だけ前記画素セルを発光させるサスティンパルスを前記表示パネルに印加するサスティンステップと、を有する。
【００１２】
又、請求項３記載による表示パネルの駆動方法は、複数の画素セルが形成されている表示パネルを、入力映像信号の各フィールドを構成する複数のサブフィールド毎に駆動する表示パネルの駆動方法であって、入力映像信号の平均輝度レベルを検出する平均輝度検出ステップと、前記入力映像信号のピーク輝度レベルを検出するピーク輝度検出ステップと、前記平均輝度レベル及び前記ピーク輝度レベルに基づき前記画素セルを発光させるべき発光回数を前記サブフィールド各々に割り当てる発光回数設定ステップと、前記サブフィールド各々においてそのサブフィールドに割り当てられている前記発光回数の分だけ前記画素セルを発光させるサスティンパルスを前記表示パネルに印加するサスティンステップと、を有する。
【発明を実施するための最良の形態】
【００１３】
入力映像信号のピーク輝度レベルに基づきサブフィールド各々に割り当てられている画素セルの発光回数を変更する。
【実施例１】
【００１４】
以下、本発明の実施例を図を参照しつつ説明する。
【００１５】
図２は、本発明による駆動方法に従って表示パネルとしてのプラズマディスプレイパネルを駆動するプラズマディスプレイ装置の概略構成を示す図である。
【００１６】
図２において、かかるプラズマディスプレイ装置は、プラズマディスプレイパネルとしてのＰＤＰ１０と、かかるＰＤＰ１０の駆動を行う駆動部とから構成される。
【００１７】
ＰＤＰ１０は、夫々ｎ個の行電極Ｘ1〜Ｘn及び行電極Ｙ1〜ＹnがＸＹ交互に配列された前面透明基板（図示せぬ）と、アドレス電極としてのｍ個の列電極Ｄ1〜Ｄmが形成されている背面基板（図示せぬ）とを備えている。ＰＤＰ１０において、互いに隣接する一対の行電極（Ｘ、Ｙ）にてＰＤＰ１の１表示ラインを構成する。前面透明基板と背面基板との間には、放電ガスが封入されている放電空間が形成されており、この放電空間を含む各行電極対と列電極との各交叉部に画素を担う画素セルが構築される構造となっている。
【００１８】
平均輝度検出回路１は、入力映像信号に基づき各フィールド(フレーム)毎の平均輝度レベルを算出し、この平均輝度レベルを示す平均輝度信号ＡＫを駆動制御回路２に供給する。
【００１９】
ピーク輝度検出回路３は、入力映像信号に基づき各フィールド(フレーム)毎の最大輝度レベルを検出し、その最大輝度レベルを示すピーク輝度信号ＰＫを駆動制御回路２に供給する。
【００２０】
画素駆動データ生成回路４は、先ず、入力映像信号に対して誤差拡散及びディザ処理の如き多階調化処理を施す。誤差拡散処理では、入力映像信号を各画素毎の例えば８ビットの画素データに変換し、その上位６ビット分を表示データ、残りの下位２ビット分を誤差データと捉える。そして、周辺画素各々に対応した上記画素データにおける誤差データの各々を重み付け加算したものを、上記表示データに反映させる。かかる動作により、原画素における下位２ビット分の輝度が周辺画素によって擬似的に表現され、それ故に８ビットよりも少ない６ビット分の表示データにて、上記８ビット分の画素データと同等の輝度階調表現が可能になる。そして、この誤差拡散処理によって得られた６ビットの誤差拡散処理画素データに対してディザ処理を施す。ディザ処理では、互いに隣接する複数の画素を１画素単位とし、この１画素単位内の各画素に対応した上記誤差拡散処理画素データに夫々、互いに異なる係数値からなるディザ係数を夫々割り当てて加算する。かかるディザ係数の加算によれば、１画素単位で眺めた場合には、ディザ加算画素データの上位４ビット分だけでも８ビットに相当する輝度を表現することが可能となる。そこで、上記ディザ加算画素データの上位４ビット分を抽出し、これを多階調化画素データＰＤｓとする。次に、画素駆動データ生成回路４は、かかる４ビットの多階調化画素データＰＤｓを図３に示す如きデータ変換テーブルに８ビットの画素駆動データＧＤに変換し、これをメモリ５に供給する。
【００２１】
メモリ５は、画素駆動データＧＤを順次書き込み、１フィールド（１フレーム）分の書き込みが終了すると、メモリ７は、この１フィールド分の画素駆動データＧＤの各々を各ビット桁毎に分離した、
ＤＢ１：ＧＤの第１ビット目
ＤＢ２：ＧＤの第２ビット目
ＤＢ３：ＧＤの第３ビット目
ＤＢ４：ＧＤの第４ビット目
ＤＢ５：ＧＤの第５ビット目
ＤＢ６：ＧＤの第６ビット目
ＤＢ７：ＧＤの第７ビット目
ＤＢ８：ＧＤの第８ビット目
なる画素駆動データビットＤＢ１〜ＤＢ８と捉え、夫々、対応したサブフィールドＳＦ１〜ＳＦ８（図４に示す）にて読み出して列電極駆動回路６に供給する。
【００２２】
駆動制御回路２は、サブフィールド法（サブフレーム法）を採用した図４に示す如き発光駆動シーケンスに従ってＰＤＰ１０を駆動させるべき各種制御信号を列電極駆動回路６、行電極Ｙ駆動回路７及び行電極Ｘ駆動回路８各々に供給する。
【００２３】
図４に示す発光駆動シーケンスでは、１フィールド（１フレーム）の表示期間内のサブフィールドＳＦ１〜ＳＦ８各々毎に、アドレス行程Ｗ及びサスティン行程Ｉを夫々実行する。又、先頭のサブフィールドＳＦ１に限り、アドレス行程Ｗに先立ち、リセット行程Ｒを実行する。
【００２４】
上記リセット行程Ｒでは、行電極Ｙ駆動回路７及び行電極Ｘ駆動回路８の各々が、ＰＤＰ１０の全ての行電極Ｙ1〜Ｙn及び行電極Ｘ1〜Ｘn各々に一斉にリセットパルスを印加する。かかるリセットパルスの印加に応じて、ＰＤＰ１０の全ての画素セル内においてリセット放電が生起され、全画素セルはサスティン放電発光（後述する）が可能な点灯モード状態に初期化される。
【００２５】
又、サブフィールドＳＦ１〜ＳＦ８各々のアドレス行程Ｗでは、行電極Ｙ駆動回路７が行電極Ｙ1〜Ｙn各々に対して順次、走査パルスを印加して行く。この間、列電極駆動回路６は、メモリ５から読み出された画素駆動データビットＤＢの各々をその論理レベルに対応した電圧を有する画素データパルスに変換し、これを上記走査パルスの印加タイミングに同期させて１表示ライン分（ｍ個）ずつ列電極Ｄ1〜Ｄmに印加する。これにより、例えば、画素駆動データビットＤＢが論理レベル１である場合には、その画素駆動データビットに対応した高電圧の画素データパルスが印加され、画素セルは上記点灯モードから消灯モードに推移する。一方、画素駆動データＤＢが論理レベル０である場合には、その画素駆動データビットに対応した画素セルに対して低電圧の画素データパルスが印加され、この画素セルは現在の状態（点灯モード又は消灯モード）を維持する。
【００２６】
サブフィールドＳＦ１〜ＳＦ８各々のサスティン行程Ｉでは、行電極Ｙ駆動回路７及び行電極Ｘ駆動回路８が、駆動制御回路２にて設定（後述する）された各サブフィールド毎の発光回数（発光期間）Ｔだけ繰り返し、サスティンパルスを各行電極Ｙ1〜Ｙn及び行電極Ｘ1〜Ｘnに夫々印加する。すなわち、図４に示す如く、サブフィールドＳＦ１のサスティン行程Ｉでは発光回数Ｔ１、ＳＦ２のサスティン行程Ｉでは発光回数Ｔ２、・・・、ＳＦ８のサスティン行程Ｉでは発光回数Ｔ８にて示される数（期間）だけ繰り返しサスティンパルスを各行電極Ｙ1〜Ｙn及び行電極Ｘ1〜Ｘnに印加するのである。すると、サスティンパルスが印加される度に上述した如き点灯モード状態に設定されている画素セルのみがサスティン放電し、その放電に伴う発光状態が維持される。
【００２７】
ここで、上記駆動によれば、サブフィールドＳＦ１〜ＳＦ８各々の内で画素セルを消灯モード状態から点灯モード状態に推移できる機会は、先頭のサブフィールドＳＦ１のリセット行程Ｒだけである。よって、図３に示す如き９通りの画素駆動データＧＤによれば、サブフィールドＳＦ１のリセット行程Ｒにおいて点灯モードに初期化された画素セルは、ＳＦ１〜ＳＦ８の内の１のサブフィールド（黒丸印にて示す）のアドレス行程Ｗで消灯モードに設定されるまでの間、点灯モードを維持する。従って、その間に存在するサブフィールド各々(白丸にて示す)のサスティン行程Ｉにおいて、各サブフィールドに割り当てられている回数（又は期間）だけ連続して画素セルが発光することになる。この際、１フィールドを通してサブフィールドＳＦ１〜ＳＦ８各々のサスティン行程Ｉにて実施された発光の合計回数に対応した中間輝度が視覚されることになる。すなわち、図３に示す如き９通りの画素駆動データＧＤに応じて、互いに異なる中間輝度を９段階にて表現し得る第１〜第９階調駆動が為されるのである。
【００２８】
次に、駆動制御回路２による、各サブフィールド毎の発光回数（発光継続期間）の設定動作について説明する。
【００２９】
駆動制御回路２は、１フィールド（フレーム）分の入力映像信号が供給される度に、図５に示す如きサスティン回数設定処理フローに従った制御を実行する。
【００３０】
先ず、駆動制御回路２は、平均輝度検出回路１から供給された平均輝度信号ＡＫにて示される各フィールド毎の平均輝度レベルに所定係数ｔを乗算することにより発光回数係数Ｑを求める（ステップＳ１）。次に、駆動制御回路２は、サブフィールドＳＦ１〜ＳＦ８に対する輝度重み付けを示す輝度係数Ｆ１〜Ｆ８の各々に、発光回数係数Ｑを乗算することにより、サブフィールドＳＦ１〜ＳＦ８各々のサスティン行程Ｉでの発光回数Ｔ１〜Ｔ８を求める（ステップＳ２）。
【００３１】
例えば、サブフィールドＳＦ１〜ＳＦ８各々の輝度重み付けを示す輝度係数Ｆ１〜Ｆ８は、
Ｆ１：１
Ｆ２：６
Ｆ３：１６
Ｆ４：２４
Ｆ５：３５
Ｆ６：４６
Ｆ７：５７
Ｆ８：７０
である。
【００３２】
上記ステップＳ１及びＳ２の実行により、各フィールド(フレーム)毎の入力映像信号の平均輝度レベルに応じてサブフィールドＳＦ１〜ＳＦ８各々のサスティン行程Ｉでの発光回数Ｔ１〜Ｔ８を求めるのである。
【００３３】
次に、駆動制御回路２は、ピーク輝度検出回路３から供給されたピーク輝度信号ＰＫに基づき、サブフィールドＳＦ１〜ＳＦ８各々の内から、全ての画素セルが消灯モード状態となるサブフィールドを検出し、その数を消灯サブフィールド数ＥＮとして求める（ステップＳ３）。例えば、図３及び図４に示される駆動によって表現し得る最大の輝度レベルを「２５５」とした際に、ピーク輝度信号ＰＫによって示されるピーク輝度レベルが「８２」である場合には、全ての画素セルに対して図３に示す第９階調、第８階調、第７階調の如き比較的高輝度の階調を担う駆動が一切為されない。つまり、この際、サブフィールドＳＦ６、ＳＦ７及びＳＦ８各々において全画素セルが消灯モードに設定されるので、消灯サブフィールド数ＥＮは「３」となる。
【００３４】
次に、駆動制御回路２は、消灯サブフィールド数ＥＮが「０」であるか否かの判定を行う（ステップＳ４）。ステップＳ４において消灯サブフィールド数ＥＮが「０」であると判定された場合、駆動制御回路２は、このサスティン回数設定処理を終了し、図３及び図４に示す如き駆動制御の実行に移行する。すなわち、この際、上記ステップＳ２にて求められた発光回数Ｔ１〜Ｔ８が、サブフィールドＳＦ１〜ＳＦ８各々のサスティン行程Ｉにおいて実施すべきサスティン放電の回数（期間）として設定されるのである。
【００３５】
一方、ステップＳ４において、消灯サブフィールド数ＥＮが「０」ではないと判定された場合、駆動制御回路２は、所定の発光回数変更量ＣＶを消灯サブフィールド数ＥＮで除算した結果を発光回数低下量Ｋ０として求める（ステップＳ５）。次に、駆動制御回路２は、上記発光回数変更量ＣＶを、全サブフィールド数「８」から消灯サブフィールド数ＥＮを減算して得られた値で除算した結果を発光回数増加量Ｋ１として求める（ステップＳ６）。次に、駆動制御回路２は、サブフィールド指定値ｒの初期値として「１」を設定する（ステップＳ７）。次に、駆動制御回路２は、上記ステップＳ２において求めた発光回数Ｔ１〜Ｔ８の内から、上記サブフィールド指定値ｒにて示される発光回数Ｔ（ｒ）を選択し、この発光回数Ｔ（ｒ）に上記発光回数増加量Ｋ１を加算した結果を新たな発光回数Ｔ（ｒ）として設定する（ステップＳ８）。例えば、サブフィールド指定値ｒが「１」である場合には、上記ステップＳ２にて求められた発光回数Ｔ１に発光回数増加量Ｋ１を加算した結果を新たな発光回数Ｔ１として設定するのである。ステップＳ８の実行後、駆動制御回路２は、上記サブフィールド指定値ｒに「１」を加算した値を新たなサブフィールド指定値ｒとして設定する（ステップＳ９）。次に、駆動制御回路２は、上記サブフィールド指定値ｒが、全サブフィールド数「８」から消灯サブフィールド数ＥＮを減算して得られた値よりも大であるか否かを判定する（ステップＳ１０）。ステップＳ１０において、サブフィールド指定値ｒが、全サブフィールド数「８」から消灯サブフィールド数ＥＮを減算して得られた値よりも大ではないと判定された場合、駆動制御回路２は、ステップＳ８の実行に戻って前述した如き動作を繰り返し実行する。一方、ステップＳ１０において、サブフィールド指定値ｒが、全サブフィールド数「８」から消灯サブフィールド数ＥＮを減算して得られた値よりも大であると判定された場合、駆動制御回路２は、以下のステップＳ１１の実行に移る。すなわち、駆動制御回路２は、上記ステップＳ２において求めた発光回数Ｔ１〜Ｔ８の内から、上記サブフィールド指定値ｒにて示される発光回数Ｔ（ｒ）を選択し、この発光回数Ｔ（ｒ）から上記発光回数低下量Ｋ０を減算した結果を新たな発光回数Ｔ（ｒ）として設定する（ステップＳ１１）。次に、駆動制御回路２は、上記サブフィールド指定値ｒに「１」を加算した値を新たなサブフィールド指定値ｒとして設定する（ステップＳ１２）。次に、駆動制御回路２は、上記サブフィールド指定値ｒが、全サブフィールド数「８」よりも大であるか否かを判定する（ステップＳ１３）。ステップＳ１３において、サブフィールド指定値ｒが、全サブフィールド数「８」よりも大ではないと判定された場合、駆動制御回路２は、ステップＳ１１の実行に戻って前述した如き動作を繰り返し実行する。一方、ステップＳ１３において、サブフィールド指定値ｒが全サブフィールド数「８」よりも大であると判定された場合、駆動制御回路２は、このサスティン回数設定処理を終了し、図３及び図４に示す如き駆動制御の実行に移行する。すなわち、この際、上記ステップＳ２にて求められた発光回数Ｔ１〜Ｔ８に対してステップＳ３〜Ｓ１３による発光回数変更処理を施して得られた新たな発光回数Ｔ１〜Ｔ８が、サブフィールドＳＦ１〜ＳＦ８各々のサスティン行程Ｉにおいて実施すべきサスティン放電の回数（期間）として設定されるのである。
【００３６】
このように、図５に示す如きサスティン回数設定処理では、先ず、各フィールド毎の入力映像信号の平均輝度レベルに応じて、サブフィールドＳＦ１〜ＳＦ８各々のサスティン行程Ｉで実施すべきサスティン放電の発光回数Ｔ１〜Ｔ８を設定する（ステップＳ１及びＳ２）。そして、ステップＳ３〜Ｓ１３の実行により、発光回数Ｔ１〜Ｔ８の総発光回数（Ｔ１＋Ｔ２＋Ｔ３＋、・・・、＋Ｔ８）を維持したまま、各フィールド毎の入力映像信号のピーク輝度レベルに応じて発光回数Ｔ１〜Ｔ８各々の値を変更する。すなわち、かかるピーク輝度レベルに基づき、全画素セルが消灯モード状態となるサブフィールドの数を示す消灯サブフィールド数ＥＮを求める（ステップＳ３）。ここで、全てのサブフィールドＳＦ１〜ＳＦ８の内から、輝度重み付けの大なる順に消灯サブフィールド数ＥＮにて示される数のサブフィールドを選出し、これらのサブフィールド各々に対応した発光回数Ｔから夫々発光回数低下量Ｋ０を減算したものを新たな発光回数Ｔとする（ステップＳ１１〜Ｓ１３）。一方、上述した如き輝度重み付けの大なるサブフィールドを除く残りのサブフィールド各々に対応した発光回数Ｔに対しては、夫々発光回数増加量Ｋ１を加算したものを新たな発光回数Ｔとする（ステップＳ８〜Ｓ１０）。
【００３７】
要するに、図５に示すサスティン回数設定処理においては、先ず、入力映像信号の平均輝度レベルに応じて各サブフィールドに割り当てるべき発光回数を設定する。そして、入力映像信号のピーク輝度レベルに基づき全画素セルが消灯モードとなるサブフィールドの検出を行い、消灯モードとなるサブフィールドに対応した上記発光回数を減少させると共に、この発光回数を減少させた分だけ、その他のサブフィールドに対応した上記発光回数を増加するようにしている。
【００３８】
従って、画面全体に亘り低輝度であり且つ輝度差が少ない画像を表す入力映像信号が供給された場合には、１フィールド内での総発光回数を増加させることなく、その画像を表示する際に用いるサブフィールド各々に割り当てるべき発光実施回数（期間）が増加される。
【００３９】
よって、入力映像信号の平均輝度レベルに応じて各サブフィールドに割り当てる発光回数を設定するが如き消費電力制御を実施するにあたり、上記の如き低輝度で且つ輝度差が少ない画像を表示する際にも、画像全体の視覚輝度を高めた良好な画像表示が為されるようになる。
【００４０】
尚、上記実施例においては、入力映像信号のピーク輝度レベルに基づき全画素セルが消灯モードとなるサブフィールドの検出を行い、消灯モードとなるサブフィールドに対応した発光回数を減少させるようにしているが、この消灯モードとなるサブフィールドを実行させないようにしても良い。
【実施例２】
【００４１】
図６は、かかる点に鑑みて為されたサスティン回数設定処理フローの他の一例を示す図である。
【００４２】
図６において、先ず、駆動制御回路２は、平均輝度検出回路１から供給された平均輝度信号ＡＫにて示される各フィールド毎の平均輝度レベルに所定係数ｔを乗算することにより発光回数係数Ｑを求める（ステップＳ２１）。次に、駆動制御回路２は、サブフィールドＳＦ１〜ＳＦ８に対する輝度重み付けを示す輝度係数Ｆ１〜Ｆ８の各々に、発光回数係数Ｑを乗算することにより、サブフィールドＳＦ１〜ＳＦ８各々のサスティン行程Ｉでの発光回数Ｔ１〜Ｔ８を求める（ステップＳ２２）。
【００４３】
次に、駆動制御回路２は、ピーク輝度検出回路３から供給されたピーク輝度信号ＰＫに基づき、サブフィールドＳＦ１〜ＳＦ８各々の内から、全ての画素セルが消灯モード状態となるサブフィールドを検出し、その数を消灯サブフィールド数ＥＮとして求める（ステップＳ２３）。次に、駆動制御回路２は、消灯サブフィールド数ＥＮが「０」であるか否かの判定を行う（ステップＳ２４）。ステップＳ２４において消灯サブフィールド数ＥＮが「０」であると判定された場合、駆動制御回路２は、このサスティン回数設定処理を終了し、図７（ａ）に示す如き発光駆動シーケンスに従った駆動制御の実行に移行する。すなわち、この際、上記ステップＳ２にて求められた発光回数Ｔ１〜Ｔ８が、サブフィールドＳＦ１〜ＳＦ８各々のサスティン行程Ｉにおいて実施すべきサスティン放電の回数（期間）として設定されるのである。尚、図７（ａ）に示す発光駆動シーケンスは、図４に示される発光駆動シーケンスと同一のものである。
【００４４】
一方、ステップＳ２４において、消灯サブフィールド数ＥＮが「０」ではないと判定された場合、駆動制御回路２は、所定の発光回数変更量ＣＶを、全サブフィールド数「８」から消灯サブフィールド数ＥＮを減算して得られた値で除算した結果を発光回数増加量Ｋ１として求める（ステップＳ２５）。次に、駆動制御回路２は、サブフィールド指定値ｒの初期値として「１」を設定する（ステップＳ２６）。次に、駆動制御回路２は、上記ステップＳ２２において求めた発光回数Ｔ１〜Ｔ８の内から、上記サブフィールド指定値ｒにて示される発光回数Ｔ（ｒ）を選択し、この発光回数Ｔ（ｒ）に上記発光回数増加量Ｋ１を加算した結果を新たな発光回数Ｔ（ｒ）として設定する（ステップＳ２７）。次に、駆動制御回路２は、上記サブフィールド指定値ｒに「１」を加算した値を新たなサブフィールド指定値ｒとして設定する（ステップＳ２８）。次に、駆動制御回路２は、上記サブフィールド指定値ｒが、全サブフィールド数「８」から消灯サブフィールド数ＥＮを減算して得られた値よりも大であるか否かを判定する（ステップＳ２９）。ステップＳ２９において、サブフィールド指定値ｒが、全サブフィールド数「８」から消灯サブフィールド数ＥＮを減算して得られた値よりも大ではないと判定された場合、駆動制御回路２は、ステップＳ２７の実行に戻って前述した如き動作を繰り返し実行する。一方、ステップＳ２９において、サブフィールド指定値ｒが、（全サブフィールド数「８」−消灯サブフィールド数ＥＮ）よりも大であると判定された場合、駆動制御回路２は、このサスティン回数設定処理を終了する。そして、駆動制御回路２は、図７（ａ）に示されるサブフィールドＳＦ１〜ＳＦ８の内から、上記消灯サブフィールド数ＥＮにて示される数の分だけ輝度重み付けの大なるサブフィールドを省いた発光駆動シーケンスに従った駆動制御の実行に移行する。
【００４５】
すなわち、駆動制御回路２は、例えば消灯サブフィールド数ＥＮが「１」を示す場合には、７つのサブフィールドＳＦ１〜ＳＦ７にて各フィールドを形成する図７（ｂ）に示す如き発光駆動シーケンスに従ってＰＤＰ１０に対する駆動制御を実行する。この際、上記ステップＳ２２にて求められた発光回数Ｔ１〜Ｔ７に対してステップＳ２７〜Ｓ２９による発光回数変更処理を施して得られた新たな発光回数Ｔ１〜Ｔ７が、サブフィールドＳＦ１〜ＳＦ７各々のサスティン行程Ｉにおいて実施すべきサスティン放電の回数（期間）として設定される。又、消灯サブフィールド数ＥＮが「２」を示す場合には、駆動制御回路２は、６つのサブフィールドＳＦ１〜ＳＦ６にて各フィールドを形成する図７（ｃ）に示す如き発光駆動シーケンスに従ってＰＤＰ１０に対する駆動制御を実行する。この際、上記ステップＳ２２にて求められた発光回数Ｔ１〜Ｔ６に対してステップＳ２７〜Ｓ２９による発光回数変更処理を施して得られた新たな発光回数Ｔ１〜Ｔ６が、サブフィールドＳＦ１〜ＳＦ６各々のサスティン行程Ｉにおいて実施すべきサスティン放電の回数（期間）として設定される。又、消灯サブフィールド数ＥＮが「３」を示す場合には、駆動制御回路２は、５つのサブフィールドＳＦ１〜ＳＦ５にて各フィールドを形成する図７（ｄ）に示す如き発光駆動シーケンスに従ってＰＤＰ１０に対する駆動制御を実行する。この際、上記ステップＳ２２にて求められた発光回数Ｔ１〜Ｔ５に対してステップＳ２７〜Ｓ２９による発光回数変更処理を施して得られた新たな発光回数Ｔ１〜Ｔ５が、サブフィールドＳＦ１〜ＳＦ５各々のサスティン行程Ｉにおいて実施すべきサスティン放電の回数（期間）として設定される。
【００４６】
以上の如く、図６に示すサスティン回数設定処理においては、先ず、入力映像信号の平均輝度レベルに応じて各サブフィールドに割り当てるべき発光回数を設定する。そして、入力映像信号のピーク輝度レベルに基づき全画素セルが消灯モードとなるサブフィールドを検出し、消灯モードとなるサブフィールドを省いたサブフィールドのみで階調駆動を実行する。この際、消灯モードとなるサブフィールドに割り当てられていた発光回数の分だけ、各サブフィールドに割り当てるべき発光回数を増加させるようにしている。よって、図１（ａ）に示す如き低輝度で且つ輝度差が小なる画像を表す入力映像信号に対して前述した如き低消費電力制御を施す場合においても、画像全体の視覚輝度を高めた良好な画像表示が為されるようになる。
【図面の簡単な説明】
【００４７】
【図１】１画面内の平均輝度が低く且つ輝度差が小なる画像、及び１画面内の平均輝度が低く且つ輝度差が大なる画像の一例を示す図である。
【図２】本発明による駆動方法に従って表示パネルとしてのプラズマディスプレイパネルを駆動するプラズマディスプレイ装置の概略構成を示す図である。
【図３】画素駆動データ生成回路４において用いられるデータ変換テーブルと、１フィールド内での発光駆動パターンとを対応づけて示す図である。
【図４】サブフィールド法に基づく発光駆動シーケンスの一例を示す図である。
【図５】サスティン回数設定処理フローの一例を示す図である。
【図６】サスティン回数設定処理フローの他の一例を示す図である。
【図７】ピーク輝度レベルに応じてサブフィールド数の変更が為された発光駆動シーケンスを示す図である。
【符号の説明】
【００４８】
１  平均輝度検出回路
２  駆動制御回路
３  ピーク輝度検出回路
１０  表示パネル
【図１】
2005315928.tif 000003
【図２】
2005315928.tif 000004
【図３】
2005315928.tif 000005
【図４】
2005315928.tif 000006
【図５】
2005315928.tif 000007
【図６】
2005315928.tif 000008
【図７】
2005315928.tif 000009